(57)【要約】【課題】本発明は、たとえば、器の底辺部と棚などに接する滑り止め素材には、免震効果を持つようクッション部を設け、これにより、食器類の底辺部がしっかり棚板部位と密着し、振動で揺れてもヤジロベイ効果で揺れに任せながら器が安定固定されるよう発明した。また、万が一破損するようなことがあっても破損部位が外に飛び出さないので、怪我など防止に大きな役目を果たし、高価な器なども破損した部位が包み内に残存するため再度修復、使用できるなど器の保護と破損防止ができて、パッケージ要素をあわせ持った装飾を兼ねた包装具に関するものである。【解決手段】  包装具本体（１）の中央に、滑り止め部（２）とクッション部（３）を設け、包装具本体（１）の周囲に、結び目となる部（５ａ）、（５ｂ）、（５ｃ）、（５ｄ）を設けたことを特徴の装飾を兼ねた包装具。【選択図】  図１
2006290451.tif 000002
【特許請求の範囲】
【請求項１】
包装具本体（１）の中央に、滑り止め部（２）とクッション部（３）を設け、包装具本体（１）の周囲に、結び目となる部位（５ａ）、（５ｂ）、（５ｃ）、（５ｄ）を設けたことを特徴の装飾を兼ねた包装具。
【発明の詳細な説明】
【技術分野】
【０００１】  本発明は、一片の布など素材を使用して、壊れやすい器などの全体をしっかり包み込んで結び、その包み込んだ器を布などの素材に合わせて形成した滑り止め素材と接合し、一体化させたものである。
包装具の底辺の裏面に、食器棚や飾り棚板など目的とする場所に、器などを包み込んだものを固定させるため、両面接着粘着具など設け、振動による器の破損や倒れ、器の飛び散り防止とした。
さらに、食器類など重ねて、一つにまとめて包み込むことで、そのままの状態で簡単に移動ができ、設置も可能である。
プレゼント用品としてのインテリア機能を持たせ、包装具にもなるように発明したものである。
器の底辺部と棚などに接する滑り止め素材には、免震効果を持つようクッション部を設け、これにより、食器類の底辺部がしっかり棚板部位と密着し、振動で揺れてもヤジロベイ効果で揺れに任せながら器が安定固定されるよう発明した。
また、万が一破損するようなことがあっても破損部位が外に飛び出さないので、怪我など防止に大きな役目を果たし、高価な器なども破損した部位が包み内に残存するため再度修復、使用できるなど器の保護と破損防止ができて、パッケージ要素をあわせ持った装飾を兼ねた包装具に関するものである。
【背景技術】
【０００２】  従来、壊れやすい器類等を地震などの振動による破損防止用として美術館などでは、蝋や液体ジェルなどを使用しているがこれらの物は器などを底辺部位だけで棚板などに固定させるためのもので全体に器を包み込んで保護するものではなかった。
蝋などは熱に弱いため夏の暑さに融け易いなど弱点もあり、器を重ねて保護することも出来ないので、広い場所を必要とするため一般家庭や店頭用としては適さない欠点があった。
従来は、単に固定させるためだけの目的に使用されるものであり、器の破損防止と共に器を目的に合わせて使用出来るパッケージ要素を持たせたものはなかった。
その他にも食器棚など扉の開閉をストップさせる用具などあるがこれなどは、器の飛び出し防止には効果的であるが器の破損を保護する目的に発明したものではなかった。
【発明が解決しようとする課題】
【０００３】  食器棚の器などを地震の震動による破損や滑り止めを目的としたものに、
（イ）昭和１３年  実用新案第１７４３４
（ロ）実開昭５０−１１２４８２
（ハ）特開昭５０−７７１６７
（ニ）実開昭５１−１２８７５４
（ホ）特開平８−２０５９８２
（ヘ）特開平８−２８９８３５
などがある。
特に（ホ）、（ヘ）の先行技術など、本発明と目的が類似しているような感じではあるが、その解決方法に大きな違いがある。
（ホ）に示した、先行技術のフィットシートは、素材がシリコンシートに限定され、特に物体を固定させるための方法はなく、お盆などに敷物として使用し、物品の移動の際の滑り落ちを防ぐ目的のものである。
（ヘ）に示した、皿等の耐震収納手段は、確かに棚上の壊れ物の破損を有効防止する一つの有効な手段と考えられるが、使用している器も、大、中、小と大きさに合わせて使用するなど場所も限定され、オールマイティに欠け、適用できる範囲が狭かった。
また、３本の柱を支柱として、固定するが食器棚、棚板などに固定する方法がないため、地震の震動を感じた際には、収納部がそのまま飛び出してしまい、食器の破損等容易に想定される。
【問題を解決するための手段】
【０００４】  包装具本体（１）の中央に、滑り止め部（２）とクッション部（３）を設け、包装具本体（１）の周囲に、結び目となる部位（５ａ）、（５ｂ）、（５ｃ）、（５ｄ）を設ける。
以上のように構成された装飾を兼ねた包装具である。
【発明の効果】
【０００５】  本発明の目的は、家庭内で使用する食器類だけでなく店頭や高価な古物を扱うアンティークショップ、思い出のある大事な器類等を地震などの震動による全損から守れるように工夫したものだが、震度５以上で建物が倒壊するような地震は想定していない。
しかし、大きな揺れの地震のときでも、食器戸棚、棚板などを事前に天井や壁などにしっかり固定し、本発明の器の破損防止用具を用いることで確実な方法で器の全損防止、保護が可能である。
レースやチュール等素材で形成された本発明で包んだ、たとえば、コーヒーカップなど壊れ易い食器類も食器棚などに固定し並べて飾ると器の中身が透けて見えるので、インテリア効果もあり、安心感を得ながら大切な食器を眺めて楽しむことができる。
また、食器等プレゼントにパッケージとして使用したり、引越しなどで移動の際には包んだままで箱に収納し、行った先で取り出して、すぐ並べて使用できるなど、地震の震動による器の破損の防止だけに留まらず、これまでになかった方法で、広い活用範囲のある包装具になった。
器類がすっぽり包み込まれているため、たとえば、振動によって、割れることがあっても、バラバラに破片が散らばるのを防ぐことができる。
また、包みの中に破片がすべて収まっているので後片付けも簡単、怪我などの心配もないので、さらに安心である。
さらに、破損が軽い場合には、割れた部位が包み内に残り、紛失の心配がないため、後日修理に出すことも可能である。
棚などに１度取り付けたあとは、使用する際に、そのまま結び目をほどき食器を取り出し、使用後は再度結びなおして包むだけで簡単に使用できる。
置き場所を変えたいときは、強力に接着されてはいるが接着面を剥がして使用できる素材を使用するため、いつでも自由に好きな場所に移動させて使えるなど、小さいながらも社会に大きな貢献ができる。
【発明を実施するための最良の形態】
【０００６】  以下、本発明の器類の破損防止とパケージ要素を持つ用具について図面を用いて具体的に説明する。
図１は、本発明の平面図であるが器類を包み込んで使用する素材（１）、滑り止めとして形成される（２）を部分的に接合して一体化させる。
素材（１）の底辺部に接合された滑り止め（２）に、クッション部（３）を取り付ける。
素材の四方の部位（５ａ）、（５ｂ）、（５ｃ）、（５ｄ）は、物体を包み込み結ぶためのものである。
本発明の器を包み込む素材、滑り止め素材、クッション部位、粘着剤などに用いる原材料や形態、大きさ等は、食器の高級度などを考慮しながら割り出した上で、随時その物に適する値をフレキシブルに決定する。
平面状に置かれた本発明からなる用具の上に順次器を乗せたり、重ねたりして最後にしっかり結んで器を包み込んで使用する。
図２は、各部分を切り離した説明図である。
滑り止め用具の裏面に両面粘着シートなど接着面を取り付け、この部分で食器棚や棚板などに接着し、固定する。
また、クッション部（３）は、柔らかいが弾力性のある素材で大きさも器を包む、物体にあわせて形成し、器包み用具本体（１）と滑り止め部（２）の間に挟み込み食器類の糸底部位と棚板の間にできる空間部をしっかり支えて食器類を常に安定感を持たせて固定させるための重要な役目を果たす。【０００７】  図３は、実際の使用方法を示した説明図である。
コーヒーカップ（６）と受け皿（７）を例にして説明する。
器包み用具本体（１）と滑り止め部（２）で、一体化された器包み用具の中心にカップの受け皿を載せる。
次に、その上にカップに合わせて形成した滑り止め素材（８）を挟み込みコーヒーカップを重ねる。
皿等の場合は、この繰り返しで、５、６枚を重ねて使用するのが理想である。
重ねた受け皿とカップを器包み用具本体（１）の器包み用具で、しっかり包み込み上部の結び目となる部位（５ａ）、（５ｂ）、（５ｃ）、（５ｄ）で結び、滑り止め部（２）の底辺に貼ってある粘着剤で食器棚などに固定する。
クッション部（３）で地震などの震動を吸収させる。
結び目の部分を隠すためにリボンタイなどで結んで飾ると、眺めていても楽しい食器棚としてインテリア効果もある。
また、この形態のままプレゼント用のパッケージとして、引越しの際等には、簡単な食器の整理として役に立つが万が一、壊れたとしても、この状態で破片が飛び散るのを防ぐために割れ物の後片付けや怪我などの危険性から開放され地震の際などでは、それだけでも気持ちてきにホットして安堵感が得られる。
破片が残っているので、後日修理して、再度使用できるので思い出の多い記念の食器等は、いつまでも捨てずに大切に保存ができるなど特徴とした、装飾を兼ねた包装具である。【０００８】  図４は、器包み用具の裏面図である。
器包み用具本体（１）と滑り止め部（２）を接合させ、その間にクッション部（３）を挟み込む。
滑り止め部（２）の素材に取り付けた両面粘着接合部（４）で、食器棚や棚板などに簡単に取り付け固定できる。【０００９】  まず、食器棚、飾り棚などいかなる場所にも器を接着固定できるようにする手段は、たとえば、棚板に接着可能素材の一つとして強力粘着シートなどで器を包み、物体の底面と密着した状態で接着する。
その物体で包み込まれた器の底辺面には糸底などがあり、部分的狭い範囲で棚板などに接着される危険性があるため器の底辺中心面と棚板間にできる隙間部位をなくす方法としてクッション部を設ける。
この部位は、地震などの揺れには、揺れを受け止め免震効果作用を発揮するなど大役を果たす。
器の大小に関する適応性として包むための目的に合わせた大きさに素材を自由にカットし対応させる。
特にレース生地など用いると薄くて軽い、場所をとらない、インテリアにもなり、重ねる、平面状の物、筒状の物など自由自在に包んで結んで簡単に目的とする場所に接着固定できる。
また、使用する際には、包みをほどいて器を取り出し、使用後は、再度包んで結ぶだけで収納できるため取り扱いが楽である。
地震の震動で揺れることがあっても重ねた器と器の間にも滑り止め素材を挟みこんで使用するため、器が互いにぶつかり破損するのを防止できる。
また、高価な食器類、記念の思い出多い器類などは包み、中味が透けて見えるために器の存在を確かめながらインテリアとして食器棚などに並べて飾って楽しめるようにし、食器類のプレゼントにはきれいに包み込まれたそのままの形でプレゼントできるパッケージ用品にもなる。
引越しなど移動の際には包んだままで箱に収納し直ぐ取り出して並べて整理ができる。予想を超える地震の震動により器が壊れることがあっても包み込まれているので破片がバラバラに散乱するのを防ぎ、破片が残っていることで後日修理も可能であり、大切な食器を守る目的に加えてパッケージ用品として使用できる。
本発明品は、これまでにない器の保護とパッケージ要素を持たせた新しい形態として工夫した。
【実施例１】
【００１０】  物体を包み込むのに適した大きさを持つ布など素材、物体がすべり落ちるのを留める機能を持つ滑り止めとなる素材を用いて、この両素材を一部接着素材や縫製、型抜きなど素材に適した方法で一体化させる。
その方法については、限定しない。
一体化された物体には、衝撃保護を目的とするクッション部を設ける。
滑り止めとなる素材の底辺部裏面には、他の物体と接合させるためなど接着具による接着機能を備える。
食器棚、飾り棚などに収納した食器類等割れ易い物品を包み込むことで、衝撃などによる破損や倒れ、食器棚等からの飛び出しを防いで保護する目的機能を持たせたことを特徴とする、装飾を兼ねた包装具である。
【実施例２】
【００１１】  物体を包み込み振動による破損等から保護する素材として、布、レース生地、強力ラップ、ナイロン、プラスチック、シリコン、チタン製品等々物を包み込む機能を備えるものを適当とし、包み込む形態として、円形、正方形、長方形、星型など様々な可能性を持つ形態に素材を切断形成するが大きさはあえて限定しない。
物体を振動等により食器棚、飾り棚等に滑り止めと固定させる手段として、滑り止め機能を持つ素材を使用し、両面接着作用等を有する粘着シートやロウ、ジェルなどの他に棚板などに接着固定可能素材を使用して留め置きや器の破損防止、保護のできる手段とする。
クッション部は、一体化された物体を包み込む素材の中心部に設置し、器と棚板などとの接着効果を有効にする。
クッション部は、その一体化された物体を包み込む素材にあわせて形状、大きさなど決定される。
【図面の簡単な説明】
【００１２】
【図１】本発明の平面図である。
【図２】本発明の分離した状態を示した説明図である。
【図３】本発明の使用状態を説明した説明図である。
【図４】本発明の底辺裏面を示した説明図である。
【符号の説明】
【００１３】１  器包み用具本体
２  滑り止め部
３  クッション部
４  両面接合粘着部
５ａ  結び目となる部位
５ｂ  結び目となる部位
５ｃ  結び目となる部位
５ｄ  結び目となる部位
６  コーヒーカップ
７  受け皿
８  滑り止め素材
【図１】
2006290451.tif 000003
【図２】
2006290451.tif 000004
【図３】
2006290451.tif 000005
【図４】
2006290451.tif 000006